(57)【要約】【課題】金型成型時に溶融材料が内部に流入することを防止することができる刻印用部品及びそれを用いた刻印装置を提供すること。【解決手段】アルミニウム鋳造品を成型するためのキャビティと、当該キャビティに連通された穴部とを有する成型用金型と、前記穴部に配設された刻印用部品とを具備し、前記刻印用部品は、円形の孔部を有する筒形の外殻体と、当該外殻体の孔部に配置される円柱形のネジ体と、前記外殻体の孔部の上部の内周面と前記ネジ体の上部の外周面との間に配置される円筒形の指標体とを備え、前記外殻体の孔部は、下部雌ネジ孔と、当該下部雌ネジ孔の上方に位置する上部孔とを有し、前記指標体は、円筒形の本体部と、当該本体部の上方に位置する円筒形の上段部とを有し、前記ネジ体は、前記下部雌ネジ孔に螺合される雄ネジ部と、当該雄ネジ部の上方に位置するネジ頭とを有してなる刻印装置とする。【選択図】図３
2019162645.tif 000002
【特許請求の範囲】
【請求項１】
アルミニウム鋳造品を成型するためのキャビティと、当該キャビティに連通された穴部とを有する成型用金型と、
前記穴部に配設された刻印用部品とを具備し、
前記刻印用部品は、円形の孔部を有する筒形の外殻体と、当該外殻体の孔部に配置される円柱形のネジ体と、前記外殻体の孔部の上部の内周面と前記ネジ体の上部の外周面との間に配置される円筒形の指標体とを備え、
前記外殻体の上面及び前記指標体の上面には、前記アルミニウム鋳造品の表面に刻印表示部を刻印するために、前記刻印表示部に対応する対応刻印表示部が形成されており、
前記外殻体の孔部は、下部雌ネジ孔と、当該下部雌ネジ孔の上方に位置する上部孔とを有し、
前記指標体は、円筒形の本体部と、当該本体部の上方に位置する円筒形の上段部とを有し、
前記ネジ体は、前記下部雌ネジ孔に螺合される雄ネジ部と、当該雄ネジ部の上方に位置するネジ頭とを有してなる刻印装置であって、
前記刻印用部品は、下記式（１）及び下記式（２）の関係を満足し、
Ｒ１＜Ｒ２  ・・・  （１）
Ｒ３＜Ｒ４  ・・・  （２）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示してなることを特徴とする刻印装置。
【請求項２】
直径（Ｒ２）を有するネジ頭の外周縁部が、前記指標体の上面上に載置され、外径（Ｒ４）を有する上段部の外周縁部が、前記外殻体の上面上に載置されることを特徴とする請求項１に記載の刻印装置。
【請求項３】
前記指標体の上段部の内周面に、溝部が形成されて、
前記外殻体の孔部は、前記上部孔の上方に位置する最上部孔を有し、
前記刻印用部品は、下記式（１’）及び下記式（２’）の関係を満足し、
Ｒ１＜Ｒ２＜Ｒ２’  ・・・  （１’）
Ｒ３＜Ｒ４＜Ｒ４’  ・・・  （２’）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示し、前記（Ｒ２’）は溝部の外径を示し、前記（Ｒ４’）は最上部孔の直径を示してなり、
前記溝部内に前記ネジ頭が収容されるとともに、前記最上部孔に前記上段部が収容されることで、前記外殻体の上面と前記ネジ頭の上面と前記上段部の上面とが面一になることを特徴とする請求項１に記載の刻印装置。
【請求項４】
前記ネジ体は、前記雄ネジ部の下方に位置する突出部を有し、
前記外殻体の孔部には、前記突出部を下方に付勢するばねが配置されていることを特徴とする請求項１〜請求項３のいずか１項に記載の刻印装置。
【請求項５】
前記指標体の本体部には、前記本体部の半径方向に突出する位置決め突起部が設けられ、
前記外殻体の上部孔部の内周面には、前記上部孔部の軸方向に延びる複数の位置決め溝が、前記上部孔部の円周方向に沿って形成されており、
前記位置決め突起部が所定の位置決め溝に嵌入されることで、前記外殻体の前記対応刻印表示部と前記指標体の前記対応刻印表示部とが位置合わせされることを特徴とする請求項１〜請求項４のいずか１項に記載の刻印装置。
【請求項６】
前記位置決め突起部が、前記位置決め部に設置される位置決めばねを有することを特徴とする請求項５に記載の刻印装置。
【請求項７】
前記刻印表示部が、文字、数字及び矢印からなる群の少なくとも１種からなることを特徴とする請求項１〜請求項６のいずか１項に記載の刻印装置。
【請求項８】
アルミニウム鋳造品を成型するためのキャビティと、当該キャビティに連通された穴部とを有する成型金型に配設され、
円形の孔部を有する筒形の外殻体と、当該外殻体の孔部に配置される円柱形のネジ体と、前記外殻体の孔部の上部の内周面と前記ネジ体の上部の外周面との間に配置される円筒形の指標体とを備え、
前記外殻体の上面及び前記指標体の上面には、前記アルミニウム鋳造品の表面に刻印表示部を刻印するために、前記刻印表示部に対応する対応刻印表示部が形成されており、
前記外殻体の孔部は、下部雌ネジ孔と、当該下部雌ネジ孔の上方に位置する上部孔とを有し、
前記指標体は、円筒形の本体部と、当該本体部の上方に位置する円筒形の上段部とを有し、
前記ネジ体は、前記下部雌ネジ孔に螺合される雄ネジ部と、当該雄ネジ部の上方に位置するネジ頭とを有してなる刻印用部品であって、
前記刻印用部品は、下記式（１）及び下記式（２）の関係を満足し、
Ｒ１＜Ｒ２  ・・・  （１）
Ｒ３＜Ｒ４  ・・・  （２）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示してなることを特徴とする刻印用部品。
【発明の詳細な説明】
【技術分野】
【０００１】
樹脂製品を自動車等のタイヤ関連位置等に使用すると、耐圧性、耐熱性に問題があると言われている。そのため、自動車等のタイヤ関連位置等にはアルミニウム鋳造品が使用されている。本発明は、金型による成型時にアルミニウム鋳造品の表面に刻印する刻印装置及びそれに用いられる刻印用部品に関し、より詳しくは外殻体と指標体とネジ体とを備え、金型による成型時に離型剤や潤滑油等が内部に流入することを防止することができる刻印用部品に関する。
【背景技術】
【０００２】
成型技術の発展により、今日において様々な金属材料が成型加工に用いられている。これら材料の中には高融点を有するものがあり、高融点の材料を用いた成型加工は、高温環境下で行なわれる。高温環境下で行なわれる成型加工として、アルミニウムダイカスト成型（以下、「アルミダイカスト成型」ともいう）がよく知られている。
【０００３】
成型加工において、製品に製造日や製造ライン番号を付すことにより、製品識別機能をもたせることは、多くの成型加工工場において行なわれている。製品識別機能を製品に付すための様々な種類の刻印用部品が開示されている（例えば、特許文献１参照）。図５は、従来の刻印用部品の一例を示す図である。図５の（ａ）は、刻印用部品の平面図であり、図５の（ｂ）は、刻印用部品の縦断面図であり、図５の（ｃ）は、刻印用部品の底面図である。
【０００４】
刻印用部品Ｍは、円筒形状の外殻体Ｏと、外殻体Ｏ内に配置される円筒形状の回転筒Ｒと、回転筒Ｒ内に配置される指標軸Ｉと、外殻体Ｏ内において回転筒Ｒ及び指標軸Ｉを支持する台座部Ｓと、外殻体Ｏの底面を閉塞する蓋体Ｌとからなる。
【０００５】
刻印用部品Ｍは、成型金型の穴部に配設され、外殻体Ｏの上面と回転筒Ｒの上面と指標軸Ｉの上面（刻設面）には、それぞれ対応刻印表示部Ｃが刻設され、その刻設面が、成型用金型のキャビティ内に臨む。その結果、キャビティ内に射出された溶融材料が対応刻印表示部Ｃに流入することにより、溶融材料の固化後、成型製品の表面に隆起した識別文字（刻印表示部）が形成される。
【０００６】
このような刻印用部品Ｍは、指標軸Ｉの回転方向によって、回転筒Ｒの回転及び静止を選択可能とする制御機構を内部に備える。例えば、指標軸Ｉを時計回りに回転させると、回転筒Ｒは静止状態を維持する一方、指標軸Ｉを反時計回りに回転させると、回転筒Ｒは指標軸Ｉとともに反時計回りに回転するようになっている。
【先行技術文献】
【特許文献】
【０００７】
【特許文献１】特開２００８−６８５０６号公報
【発明の概要】
【発明が解決しようとする課題】
【０００８】
ところで、アルミダイカスト成型は、６５０℃〜７００℃、６００ｋｇ／ｃｍ２という条件で行われる。このようなアルミダイカスト成型に用いられる離型剤や潤滑油等は、わずかな隙間にも流れ込むこととなる。
そのため、上述したような刻印用部品Ｍを、例えばアルミダイカスト成型に用いると、離型剤や潤滑油等が外殻体Ｏの内周面と回転筒Ｒの外周面との間や、回転筒Ｒの内周面と指標軸Ｉの外周面との間に流入する。この流入した離型剤や潤滑油等は、冷却工程を経て固化する。つまり、外殻体Ｏの内周面と回転筒Ｒの外周面との間や、回転筒Ｒの内周面と指標軸Ｉの外周面との間で固化した離型剤や潤滑油等が、指標軸Ｉの回転と回転筒Ｒの回転とを妨げるという問題点があった。
【０００９】
そこで、本発明は、上述した如き課題に鑑みてなされたものであり、金型成型時に溶融材料が内部に流入することを防止することができる刻印用部品及びそれを用いた刻印装置を提供することを目的とする。
【課題を解決するための手段】
【００１０】
以上のような目的を達成するために、本発明の第一の態様に係る刻印装置は、アルミニウム鋳造品を成型するためのキャビティと、当該キャビティに連通された穴部とを有する成型用金型と、
前記穴部に配設された刻印用部品とを具備し、
前記刻印用部品は、円形の孔部を有する筒形の外殻体と、当該外殻体の孔部に配置される円柱形のネジ体と、前記外殻体の孔部の上部の内周面と前記ネジ体の上部の外周面との間に配置される円筒形の指標体とを備え、
前記外殻体の上面及び前記指標体の上面には、前記アルミニウム鋳造品の表面に刻印表示部を刻印するために、前記刻印表示部に対応する対応刻印表示部が形成されており、
前記外殻体の孔部は、下部雌ネジ孔と、当該下部雌ネジ孔の上方に位置する上部孔とを有し、
前記指標体は、円筒形の本体部と、当該本体部の上方に位置する円筒形の上段部とを有し、
前記ネジ体は、前記下部雌ネジ孔に螺合される雄ネジ部と、当該雄ネジ部の上方に位置するネジ頭とを有してなる刻印装置であって、
前記刻印用部品は、下記式（１）及び下記式（２）の関係を満足し、
Ｒ１＜Ｒ２  ・・・  （１）
Ｒ３＜Ｒ４  ・・・  （２）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示してなることを特徴とする。
【００１１】
このような第一の態様に係る刻印装置によれば、アルミダイカスト成型に用いても、ネジ頭の直径（Ｒ２）が本体部の内径（Ｒ１）より大きく設定され、さらに雄ネジ部の外周面と本体部の内周面との間の上方にネジ頭が配置されるので、雄ネジ部の外周面と本体部の内周面との間に離型剤や潤滑油等が流入することを防止することができる。
【００１２】
また、上段部の外径（Ｒ４）が上部孔の直径（Ｒ３）より大きく設定され、さらに本体部の外周面と上部孔の内周面との間の上方に上段部が配置されるので、本体部の外周面と上部孔の内周面との間に離型剤や潤滑油等が流入することを防止することができる。
【００１３】
上記第一の態様に係る刻印装置は、直径（Ｒ２）を有するネジ頭の外周縁部が、前記指標体の上面上に載置され、外径（Ｒ４）を有する上段部の外周縁部が、前記外殻体の上面上に載置されるので好ましい。
【００１４】
上記第一の態様に係る刻印装置は、前記指標体の上段部の内周面に、溝部が形成されて、前記外殻体の孔部は、前記上部孔の上方に位置する最上部孔を有している。さらに、上記第一の態様に係る刻印装置は、下記式（１’）及び下記式（２’）の関係を満足し、
Ｒ１＜Ｒ２＜Ｒ２’  ・・・  （１’）
Ｒ３＜Ｒ４＜Ｒ４’  ・・・  （２’）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示し、前記（Ｒ２’）は溝部の外径を示し、前記（Ｒ４’）は最上部孔の直径を示してなり、
前記溝部内に前記ネジ頭が収容されるとともに、前記最上部孔に前記上段部が収容されるので、前記外殻体の上面と前記ネジ頭の上面と前記上段部の上面とが面一になるので好ましい。
【００１５】
このような第一の態様に係る刻印装置によれば、外殻体の上面と前記ネジ頭の上面と前記上段部の上面とが面一になっているので、識別文字等以外による段差がアルミニウム鋳造品の表面に形成されることを防止することができる。
【００１６】
上記第一の態様に係る刻印装置は、前記ネジ体は、前記雄ネジ部の下方に位置する突出部を有し、前記外殻体の孔部には、前記突出部を下方に付勢するばねが配置されている構成を備えると、隙間に離型剤や潤滑油等が流入することを、より防止することができるので好ましい。
上記第一の態様に係る刻印装置は、前記指標体の本体部には、前記本体部の半径方向に突出する位置決め突起部が設けられ、前記外殻体の上部孔部の内周面には、前記上部孔部の軸方向に延びる複数の位置決め溝が、前記上部孔部の円周方向に沿って形成されており、前記位置決め突起部が所定の位置決め溝に嵌入されることで、前記外殻体の前記対応刻印表示部と前記指標体の前記対応刻印表示部とが位置合わせされるから好ましい。
【００１７】
このような第一の態様に係る刻印装置によれば、外殻体に対して所望の位置で指標体の角位置を固定することができる。
【００１８】
上記第一の態様に係る刻印装置は、前記位置決め突起部が、前記位置決め部に設置される位置決めばねを有する構成を備えると、指標体の回転及び静止を容易に行うことができるので好ましい。
【００１９】
上記第一の態様に係る刻印装置は、前記刻印表示部が、文字、数字及び矢印からなる群の少なくとも１種からなる構成を備えると、アルミニウム鋳造品の表面に様々な種類の製造日等を形成することができるので好ましい。
【００２０】
本発明の第二の態様に係る刻印用部品は、アルミニウム鋳造品を成型するためのキャビティと、当該キャビティに連通された穴部とを有する成型金型に配設され、
円形の孔部を有する筒形の外殻体と、当該外殻体の孔部に配置される円柱形のネジ体と、前記外殻体の孔部の上部の内周面と前記ネジ体の上部の外周面との間に配置される円筒形の指標体とを備え、
前記外殻体の上面及び前記指標体の上面には、前記アルミニウム鋳造品の表面に刻印表示部を刻印するために、前記刻印表示部に対応する対応刻印表示部が形成されており、
前記外殻体の孔部は、下部雌ネジ孔と、当該下部雌ネジ孔の上方に位置する上部孔とを有し、
前記指標体は、円筒形の本体部と、当該本体部の上方に位置する円筒形の上段部とを有し、
前記ネジ体は、前記下部雌ネジ孔に螺合される雄ネジ部と、当該雄ネジ部の上方に位置するネジ頭とを有してなる刻印用部品であって、
前記刻印用部品は、下記式（１）及び下記式（２）の関係を満足し、
Ｒ１＜Ｒ２  ・・・  （１）
Ｒ３＜Ｒ４  ・・・  （２）
ここで、前記（Ｒ１）は本体部の内径を示し、前記（Ｒ２）はネジ頭の直径を示し、前記（Ｒ３）は上部孔の直径を示し、前記（Ｒ４）は上段部の外径を示してなることを特徴とする。
【発明の効果】
【００２１】
このような本発明に係る刻印装置によれば、アルミダイカスト成型に用いても、ネジ頭の直径（Ｒ２）が本体部の内径（Ｒ１）より大きく設定され、さらに雄ネジ部の外周面と本体部の内周面との間の上方にネジ頭が配置されるので、雄ネジ部の外周面と本体部の内周面との間に離型剤や潤滑油等が流入することを防止することができる。また、上段部の外径（Ｒ４）が上部孔の直径（Ｒ３）より大きく設定され、さらに本体部の外周面と上部孔の内周面との間の上方に上段部が配置されるので、本体部の外周面と上部孔の内周面との間に離型剤や潤滑油等が流入することを防止することができる。
【００２２】
このような本発明に係る刻印用部品によれば、アルミダイカスト成型に用いても、ネジ頭の直径（Ｒ２）が本体部の内径（Ｒ１）より大きく設定され、さらに雄ネジ部の外周面と本体部の内周面との間の上方にネジ頭が配置されるので、雄ネジ部の外周面と本体部の内周面との間に離型剤や潤滑油等が流入することを防止することができる。また、上段部の外径（Ｒ４）が上部孔の直径（Ｒ３）より大きく設定され、さらに本体部の外周面と上部孔の内周面との間の上方に上段部が配置されるので、本体部の外周面と上部孔の内周面との間に離型剤や潤滑油等が流入することを防止することができる。
【図面の簡単な説明】
【００２３】
【図１】第一の態様に係る刻印装置の一例を示す縦断面図である。
【図２】第二の態様に係る刻印用部品の平面図である。
【図３】第二の態様に係る刻印用部品の縦断面図である。
【図４】第二の態様の他の一例に係る刻印用部品の縦断面図である。
【図５】従来の刻印用部品の一例を示す図である。
【発明を実施するための形態】
【００２４】
以下に、本発明の実施形態について図面に基づいて説明する。
【００２５】
（第一の態様）
＜刻印装置＞
図１は、第一の態様に係る刻印装置の一例を示す縦断面図である。刻印装置２は、６５０℃〜７００℃、６００ｋｇ／ｃｍ２、０．５分程度でアルミニウム鋳造品を成型するためのものであり、固定金型２１と、固定金型２１の下方に配置された可動金型２２と、可動金型２２とアクチュエータ（図示せず）とを連結し固定金型２１に対して可動金型２２を接離させる可動盤２３とを備える。
【００２６】
固定金型２１には、溶融金属が射出される射出口２１１が形成されている。また、固定金型２１の下面における射出口２１１の周辺部には、下方に突出する凸部２１２が形成されている。
【００２７】
アクチュエータからの動力は可動盤２３を介して可動金型２２に伝達され、可動金型２２の固定金型２１に対する接離動作を生じさせる。可動金型２２の上面には、凹部２２１が形成されており、固定金型２１の凸部２１２が凹部２２１内に侵入する。このとき、凸部２１２の容積は、凹部２２１の容積よりも小さくなっており、凸部２１２と凹部２２１との間には所定形状のキャビティ２００が形成される。なお、固定金型２１及び可動金型２２の材質としてはＳＫＤ６１等の金属等が挙げられ、凸部２１２と凹部２２１とには離型剤が塗布されており、射出口２１１から溶融金属を射出させるための機構等に潤滑油等が用いられている。離型剤や潤滑油としては、例えばダイカスト用離型剤（「ＧＬ６３００」、「ＧＬ６０００」、Ｍｏｒｅｓｃｏ社製）、プランジャー潤滑剤（「ＣＦ−Ｗ２」、Ｍｏｒｅｓｃｏ社製）、エマルジョン型離型剤（「ＫＭ−７４０Ｔ」、「ＫＭ−７４２Ｔ」、信越化学工業株式会社製）等が挙げられる。
【００２８】
また、可動金型２２には、可動金型２２を上下に貫通するとともにキャビティ２００に連通する穴部２２２が形成され、穴部２２２に第二の態様に係る刻印用部品１が嵌入し固定される。刻印用部品１の上面（刻設面）１０は、凹部２２１の上面と面一にされ、キャビティ２００に臨む。これにより、例えば図１においては傾斜した周面壁を有する椀形状のアルミニウム鋳造品（例えば厚さＤ（１０ｍｍ程度）の成型製品）がキャビティ２００内で形成されとともに、アルミニウム鋳造品の表面に隆起した識別文字（刻印表示部）が形成されることになる。
【００２９】
次に、刻印用部品１について詳細に説明する。
（第二の態様）
＜刻印用部品＞
図２は、第二の態様に係る刻印用部品１の平面図であり、図３は、第二の態様に係る刻印用部品１の縦断面図である。
刻印用部品１は、円形の孔部３０１を有する円筒形の外殻体３と、外殻体３の孔部３０１に配置される円柱形のネジ体５と、外殻体３の孔部３０１の上部の内周面とネジ体５の上部の外周面との間に配置される円筒形の指標体４とを備える。
【００３０】
ここで、アルミニウム鋳造品の表面に識別文字（刻印表示部）を刻印するための刻印用部品１の刻設面１０について説明する。
＜刻設面＞
刻印用部品１の刻設面１０は、外殻体３の上面と指標体４の上面とから構成される。
外殻体３の上面は、円環形状を呈しており、外殻体３の上面に「１」から「１２」までの数字からなる印部（対応刻印表示部）３１が円周方向に沿って等間隔に刻設されている。図２に示す例においては、外殻体３の上面の印部３１は、「月」を意味する。
【００３１】
指標体４の上面も、円環形状を呈しており、指標体４の上面に「０」及び「９」の数字と「三角形」の矢印とからなる印部４１が刻設されている。図２に示す例においては、「０」及び「９」の数字からなる印部４１は、西暦の「２００９年」を意味する。また、「三角形」の矢印からなる印部４１は、外殻体３の上面上の「１」から「１２」までの数字の内の１つの数字を指し示す。これにより、刻印用部品１が、「年月」をアルミニウム鋳造品の表面に記すことが可能となり、例えば図２に示す例においては、「２００９年１２月」を意味する文字をアルミニウム鋳造品の表面に記すことが可能となる。
なお、ネジ体５の上面は、円形状を呈しており、ネジ体５の上面にマイナスドライバ等の工具の先端を挿入可能な印部５１が刻設されている。
【００３２】
次に、刻印用部品１の構成部材について説明する。
＜外殻体＞
外殻体３は、円形の孔部３０１を有する外径（Ｒ）、高さ（Ｈ）の円筒形を呈しており、孔部３０１は、直径（Ｒ１）の円形の下部雌ネジ孔３０２と、下部雌ネジ孔３０２の上方に位置する直径（Ｒ３）の円形の上部孔３０３と、可動金型２２に取付けるための金型取付部３０４とを有する。直径（Ｒ３）は直径（Ｒ１）より大きくなっており、２段構造の貫通孔となっている。上記（Ｒ）は、例えば３ｍｍ以上２０ｍｍ以下となっており、上記（Ｈ）は、例えば５ｍｍ以上２０ｍｍ以下となっている。
【００３３】
また、上部孔３０３の内周面には、１２個の位置決め溝（図示せず）が形成されている。各位置決め溝は、外殻体３の上面から下方に向けて延設されている。そして、位置決め溝は、円周方向に沿って連続的に且つ等間隔に配列されている。位置決め溝は、平面視で略Ｕ字形状に形成されており、位置決め溝の深さは、後述する（Ｒ４−Ｒ３）より小さくなっている。なお、位置決め溝の数は、「月」の数の１２となっている。
さらに、下部雌ネジ孔３０２の内周面には、雄ネジ部５０２の外周面と螺合するネジ溝が形成されている。
【００３４】
＜指標体＞
指標体４は、内径（Ｒ１）、外径（Ｒ３）の円筒形の本体部４０１と、本体部４０１の上方に位置する内径（Ｒ１）、外径（Ｒ４）、高さ（Ｈ１）の円筒形の上段部（ツバ部）４０２とを有する。外径（Ｒ４）は外径（Ｒ３）より大きくなっており、２段構造の円筒体となっている。
【００３５】
外径（Ｒ３）の円筒形の本体部４０１は、外殻体３の直径（Ｒ３）の円形の上部孔３０３と相補的な形状を呈している。本体部４０１が上部孔３０３に完全に収容されると、外殻体３の上面上に、外径（Ｒ４）の円筒形の上段部（ツバ部）４０２の外周縁部が載置されるようになっている。つまり、本体部４０１の外周面と上部孔３０３の内周面との間の上方には上段部（ツバ部）４０２の外周縁部が配置され、本体部４０１の外周面と上部孔３０３の内周面との間に離型剤や潤滑油等が流入することを防止することができる。このとき、（Ｒ４）は（Ｒ３）より０．１ｍｍ〜１．０ｍｍ、大きくなっていることが好ましい。
また、本体部４０１が上部孔３０３に完全に収容されると、指標体４の直径（Ｒ１）の円形の貫通孔が、直径（Ｒ１）の円形の下部雌ネジ孔３０２と連通するようになっている。
【００３６】
本体部４０１には、半径方向に延設された穴部４０３が設けられており、穴部４０３に位置決め突起部４０４が配置されている。位置決め突起部４０４は、弾性体（コイルばねや板ばね等）が用いられたものが挙げられ、例えば、位置決めばね（コイルばね）と、位置決めばねの先端に配設される嵌入部とからなる。位置決めばねは、穴部４０３に埋設され、嵌入部は本体部４０１の外周面から突出している。
これにより、指標体４を指標体４の軸周りに回転させるときに、嵌入部が位置決め溝と噛み合い、指標体４を所定角度で停止させることができる。この結果、指標体４の上面に刻設された「三角形」の矢印からなる印部４１を、外殻体４の上面に刻設された対応する数字の印部３１に合わせやすくなる。
【００３７】
なお、嵌入部は、球状に形成するのが好ましい。このように形成すると、ある位置決め溝から隣接する位置決め溝へ嵌入部が移動するとき、位置決め溝の縁に嵌入部が引っかからず、位置決め溝の損傷を防ぐことが可能となる。また、位置決め溝の壁面は、球状の嵌入部の半径と略等しい曲率半径を有する曲面状に形成されることが好ましい。このようにすると、位置決め溝と嵌入部とが線接触するため、より確実な位置決め機能を発揮することができる。さらに好ましくは、位置決め溝を断面半円形状とすると、嵌入部との接触面積を最大限化でき、さらに確実な位置決め機能を発揮せしめることができる。
【００３８】
＜ネジ体＞
ネジ体５は、直径（Ｒ２）、高さ（Ｈ１）の円柱形のネジ頭（ツバ部）５０１と、ネジ頭５０１の下方に位置する直径（Ｒ１）の円柱形の雄ネジ部５０２とを有する。直径（Ｒ２）は直径（Ｒ１）より大きくなっており、２段構造の円柱体となっている。
【００３９】
ネジ頭５０１の上面は、円形状を呈しており、ネジ頭５０１の上面にマイナスドライバ等の工具の先端を挿入可能な印部５１が刻設されている。これにより、印部５１に挿入された工具の回転操作により、ネジ体５は回転するようになっている。
【００４０】
直径（Ｒ１）の円柱形の雄ネジ部５０２が、指標体４の直径（Ｒ１）の円形の貫通孔及び直径（Ｒ１）の円形の下部雌ネジ孔３０２に挿入され、外殻体３の下部雌ネジ孔３０２と螺合し固定されると、指標体４の上面上に、直径（Ｒ２）の円柱形のネジ頭（ツバ部）５０１の外周縁部が載置されるようになっている。つまり、雄ネジ部５０２の外周面と指標体４の貫通孔の内周面との間の上方にはネジ頭（ツバ部）５０１の外周縁部が配置され、雄ネジ部５０２の外周面と指標体４の貫通孔の内周面の間に離型剤や潤滑油等が流入することを防止することができる。このとき、（Ｒ２）は（Ｒ１）より０．１ｍｍ〜１．０ｍｍ、大きくなっていることが好ましい。
なお、図３の引き出し図に示されるように、ネジ体５は、雄ネジ部５０２の下方に位置し水平方向に突出する突出部５’を有し、外殻体３の孔部には、突出部５’の上面を下方に付勢するコイルばね６’が配置されていてもよい。これにより、外殻体３の上面上に、外径（Ｒ４）の円筒形の上段部（ツバ部）４０２の外周縁部が下方に付勢されて載置されるとともに、指標体４の上面上に、直径（Ｒ２）の円柱形のネジ頭（ツバ部）５０１の外周縁部が下方に付勢されて載置されるため、雄ネジ部５０２の外周面と本体部４０１の内周面との間や、本体部４０１の外周面と上部孔３０３の内周面との間に離型剤や潤滑油等が流入することを、より防止することができる。
【００４１】
そして、上記外殻体３、上記指標体４及び上記ネジ体５を構成する材質としては、ＳＫＤ６１等の金属等が挙げられる。また、上記外殻体３、上記指標体４及び上記ネジ体５をそれぞれ異なる材料から形成してもよい。例えば、ネジ体５を指標体４より高い熱膨張率を有する材料から形成することにより、高熱環境下で、ネジ体５と指標体４との間の圧力をさらに高めることが可能となる。また、指標体４を外殻体３より高い熱膨張率を有する材料から形成することにより、高熱環境下で、指標体４と外殻体３との間の圧力をさらに高めることが可能となる。
【００４２】
以上のように、本発明に係る刻印装置２及び刻印用部品１によれば、ネジ頭（ツバ部）５０１の直径（Ｒ２）が本体部４０１の内径（Ｒ１）より大きく設定され、さらに雄ネジ部５０２の外周面と本体部４０１の内周面との間の上方にネジ頭（ツバ部）５０１が配置されるので、雄ネジ部５０２の外周面と本体部４０１の内周面との間に離型剤や潤滑油等が流入することを防止することができる。また、上段部（ツバ部）４０２の外径（Ｒ４）が上部孔３０３の直径（Ｒ３）より大きく設定され、さらに本体部４０１の外周面と上部孔３０３の内周面との間の上方に上段部（ツバ部）４０２が配置されるので、本体部４０１の外周面と上部孔３０３の内周面との間に離型剤や潤滑油等が流入することを防止することができる。
【００４３】
（第二の態様の他の一例）
＜刻印用部品＞
図４は、第二の態様の他の一例に係る刻印用部品１１１の縦断面図である。なお、上述した刻印用部品１と同様の構成要素については、同じ符号を付している。
刻印用部品１１１は、円形の孔部３１１を有する円筒形の外殻体１１３と、外殻体１１３の孔部３１１に配置される円柱形のネジ体１１５と、外殻体１１３の孔部３１１の上部の内周面とネジ体１１５の上部の外周面との間に配置される円筒形の指標体１１４とを備える。
【００４４】
＜外殻体＞
外殻体１１３は、円形の孔部３１１を有する外径（Ｒ）、高さ（Ｈ１）の円筒形を呈しており、孔部３１１は、直径（Ｒ１）の円形の下部雌ネジ孔３０２と、下部雌ネジ孔３０２の上方に位置する直径（Ｒ３）の円形の上部孔３０３と、上部孔３０３の上方に位置する直径（Ｒ４’）、高さ（Ｈ）の円形の最上部孔３１５とを有する。直径（Ｒ３）は直径（Ｒ１）より大きくなっており、直径（Ｒ４’）は直径（Ｒ３）より大きくなっており、３段構造の貫通孔となっている。なお、高さ（Ｈ１）は、０．０１ｍｍ以上１ｍｍ以下であることが好ましく、（Ｒ４’）は、（Ｒ４）より０．０１ｍｍ〜１ｍｍ、大きくなっていることが好ましい。
【００４５】
＜指標体＞
指標体１１４は、内径（Ｒ１）、外径（Ｒ３）の円筒形の本体部４０１と、本体部４０１の上方に位置する内径（Ｒ２’）、外径（Ｒ４）、高さ（Ｈ１）の円筒形の上段部（ツバ部）４１２とを有する。外径（Ｒ４）は外径（Ｒ３）より大きくなるとともに、内径（Ｒ２’）は内径（Ｒ１）より大きくなっており、２段構造の円筒体となっている。なお、（Ｒ２’）は、（Ｒ２）より０．０１ｍｍ〜１．０ｍｍ、大きくなっていることが好ましい。
【００４６】
本体部４０１が上部孔３０３に収容されると、外径（Ｒ４）の円筒形の上段部（ツバ部）４１２が、直径（Ｒ４’）の円形の最上部孔３１４に収容されるようになっている。つまり、本体部４０１の外周面と上部孔３０３の内周面との間の上方には外径（Ｒ４）の円筒形の上段部（ツバ部）４１２の外周縁部が配置され、本体部４０１の外周面と上部孔３０３の内周面との間に離型剤や潤滑油等が流入することを防止することができる。また、外殻体１１５の上面と上段部（ツバ部）４１２の上面とが面一になっているので、識別文字等以外による段差がアルミニウム鋳造品の表面に形成されることを防止することができる。
なお、直径（Ｒ４’）の円形の最上部孔３１４の内周面と外径（Ｒ４）の円筒形の上段部（ツバ部）４１２の外周面との間には、離型剤や潤滑油等が流入することになるが、所定の距離の隙間（（Ｒ４’）−（Ｒ４））を有しているため、成型製品を作製するときに可動金型２２を動かした際に成型製品とともに除去される。
【００４７】
＜ネジ体＞
ネジ体１１５は、直径（Ｒ２）、高さ（Ｈ１）の円柱形のネジ頭（ツバ部）５０１と、ネジ頭５０１の下方に位置する直径（Ｒ１）の円柱形の雄ネジ部５０２とを有する。直径（Ｒ２）は直径（Ｒ１）より大きくなっており、２段構造の円柱体となっている。
ネジ頭５０１の上面は、円形状を呈しており、ネジ頭５０１の上面に六角棒レンチ等の工具の先端を挿入可能な印部５０３が刻設されている。これにより、印部５０３に挿入された工具の回転操作により、ネジ体１１５は回転するようになっている。
【００４８】
雄ネジ部５０２が指標体１１４の貫通孔及び下部雌ネジ孔３０２に収容され、外殻体１１３の下部雌ネジ孔３０２と螺合し固定されると、直径（Ｒ２）の円柱形のネジ頭（ツバ部）５０１が、内径（Ｒ２’）の円筒形の最上部孔３１５に収容されるようになっている。つまり、雄ネジ部５０２の外周面と指標体１１４の貫通孔の内周面との間の上方にはネジ頭（ツバ部）５０１の外周縁部が配置され、雄ネジ部５０２の外周面と指標体１１４の貫通孔の内周面に離型剤や潤滑油等が流入することを防止することができる。また、ネジ頭５０１の上面と上段部４１２の上面とが面一になっているので、識別文字等以外による段差がアルミニウム鋳造品の表面に形成されることを防止することができる。
なお、内径（Ｒ２’）の円筒形の最上部孔３１５の内周面と直径（Ｒ２）の円柱形のネジ頭（ツバ部）５０１の外周面との間には、離型剤や潤滑油等が流入することになるが、所定の距離の隙間（（Ｒ２’）−（Ｒ２））を有しているため、成型製品を作製するときに可動金型２２を動かした際に成型製品とともに除去される。
【００４９】
以上のように、本発明に係る刻印用部品１１１によれば、アルミダイカスト成型に用いても、ネジ頭（ツバ部）５０１の直径（Ｒ２）が本体部４０１の内径（Ｒ１）より大きく設定され、さらに雄ネジ部５０２の外周面と本体部４０１の内周面との間の上方にネジ頭（ツバ部）５０１が配置されるので、雄ネジ部５０２の外周面と本体部４０１の内周面との間に離型剤や潤滑油等が流入することを防止することができる。また、上段部４１２の外径（Ｒ４）が上部孔３０３の直径（Ｒ３）より大きく設定され、さらに本体部４０１の外周面と上部孔３０３の内周面との間の上方に上段部（ツバ部）４１２が配置されるので、本体部４０１の外周面と上部孔３０３の内周面との間に離型剤や潤滑油等が流入することを防止することができる。さらに、外殻体１１３の上面とネジ頭５０１の上面と上段部４１２の上面とが面一になっているので、識別文字等以外による段差がアルミニウム鋳造品の表面に形成されることを防止することができる。
【産業上の利用可能性】
【００５０】
本発明に係る刻印用部品は、自動車等のタイヤ関連位置等に使用されるアルミニウム鋳造品の表面に刻印する刻印装置等に有用である。
【符号の説明】
【００５１】
１      刻印用部品
２      刻印装置
３      外殻体
４      指標体
５      ネジ体
２１    固定金型（成型用金型）
２２    可動金型（成型用金型）
３１    印部（対応刻印表示部）
４１    印部（対応刻印表示部）
２００  キャビティ
２２２  穴部
３０１  孔部
３０２  下部雌ネジ孔
３０３  上部孔
４０１  本体部
４０２  上段部
５０１  ネジ頭
５０２  雄ネジ部
【図１】
2019162645.tif 000003
【図２】
2019162645.tif 000004
【図３】
2019162645.tif 000005
【図４】
2019162645.tif 000006
【図５】
2019162645.tif 000007